(57)【要約】【課題】  リードカム軸にグリスを供給する際、苗載せタンクの複数箇所の注油口に夫々供給する必要がなく、作業者の労力を軽減できると共に、グリスがリードカム軸全体に行き渡る苗移植機を提供する。【解決手段】  左右往復移動自在な苗載せタンク５０と、苗載せタンク５０から苗を取って圃場に植え付ける植付装置５４を備え、苗載せタンク５０を左右往復移動させる外周に螺旋状の溝部３８を形成したリードカム軸３７と、リードカム軸３７の溝部に係合するリード爪４０を有しリードカム軸３７が回転することにより苗載せタンク５０と共に左右方向に摺動するリードメタル３９を設けた苗移植機において、リードメタル３９の左右両側で且つリードカム軸３７の外周に伸縮自在な被覆部材４２を設け、被覆部材４２を中空の循環パイプ４３で連結し、被覆部材４２には、潤滑剤を供給する潤滑剤供給装置４４を設けて構成する。【選択図】  図４
2011177052.tif 000002
【特許請求の範囲】
【請求項１】
圃場に植え付ける苗を載置する左右往復移動自在な苗載せタンク（５０）と、該苗載せタンク（５０）から１株分の苗を取り出して圃場に植え付ける植付装置（５４）と苗載せタンク（５０）の左右往復移動機構を装備する伝動ケース（３６）を設け、前記伝動ケース（３６）には、外周に螺旋状の溝部（３８）を形成したリードカム軸（３７）と、該リードカム軸（３７）の溝部に係合するリード爪（４０）を有しリードカム軸（３７）が回転することにより苗載せタンク（５０）と共に左右方向に摺動するリードメタル（３９）を設けてある苗移植機において、前記リードメタル（３９）の左右両側で且つリードカム軸（３７）の外周部に潤滑剤を注入する伸縮自在な被覆部材（４２，４２）を配置して設け、左右の被覆部材（４２，４２）を中空の循環パイプ（４３）で連通構成したことを特徴とする苗移植機。
【請求項２】
前記左右の被覆部材（４２，４２）に潤滑剤を供給する潤滑剤供給装置（４４）を設け、潤滑剤供給装置から被覆部材（４２，４２）の内部に潤滑剤を供給する流路（４５）を設けたことを特徴とする請求項１記載の苗移植機。
【請求項３】
前記循環パイプ（４３）を左右の被覆部材（４２，４２）の内側で且つ前記リードメタル（３９）の上方を通過させて配置したことを特徴とする請求項１又は請求項２記載の苗移植機。
【請求項４】
前記循環パイプ（４３）を左右の被覆部材（４２，４２）の内側で且つ前記リードメタル（３９）の下方を通過させて配置したことを特徴とする請求項１又は請求項２記載の苗移植機。
【請求項５】
左右の被覆部材（４２，４２）の端部で且つ内周に複数の突起体（４６）を設けたことを特徴とする請求項１記載の苗移植機。
【発明の詳細な説明】
【技術分野】
【０００１】
この発明は、左右往復移動可能な苗載せタンクに複数枚のマット状苗を装填し、苗載せタンクを苗植付機構の苗植付作動に連動して横方向に往復移動させながらタンク内のマット状苗を一株分づつ取り出して圃場に植え付けていく苗移植機に関する。
【背景技術】
【０００２】
従来、左右に往復移動する苗載せタンクに装填されたマット状苗から植付装置により一株分の苗を取り出して圃場に植え付けていく苗移植機が知られている（例えば、特許文献１参照）。この苗移植機には、苗載せタンクを左右に往復移動させる手段として、軸方向に摺動自在に軸支された横移動棒と、該横移動棒に取り付けたリードメタルの爪が係合する螺旋状の溝が外周面に形成されたリードカム軸とが苗植付部の中央部に設置された伝動ケース内に設けられている。そして、このリードカム軸が回転すると、リードメタルの爪がリードカム軸の溝に沿って移動し、これに伴って横移動棒が左右に往復動し苗載せタンクが横移動するようになっている。
【先行技術文献】
【特許文献】
【０００３】
【特許文献１】特開２００８−１４８６４５号公報
【発明の概要】
【発明が解決しようとする課題】
【０００４】
先行技術では、リードカム軸にグリスを供給する際、苗載せタンクに複数箇所形成された注油口を開けて供給する必要があり、作業者の作業工数が増大すると共に、グリスがリードカム軸全体に万遍なく行き渡らないという問題がある。
【０００５】
本発明の課題は、リードカム軸に潤滑油を満遍なく供給できるようにして、苗載せタンクの横移動を円滑にし作業能率の向上を図ることを目的とする。
【課題を解決するための手段】
【０００６】
この発明は、上記課題を解決すべく次のような技術的手段を講じた。
【０００７】
すなわち、請求項１記載の本発明は、圃場に植え付ける苗を載置する左右往復移動自在な苗載せタンク（５０）と、該苗載せタンク（５０）から１株分の苗を取り出して圃場に植え付ける植付装置（５４）と苗載せタンク（５０）の左右往復移動機構を装備する伝動ケース（３６）を設け、前記伝動ケース（３６）には、外周に螺旋状の溝部（３８）を形成したリードカム軸（３７）と、該リードカム軸（３７）の溝部に係合するリード爪（４０）を有しリードカム軸（３７）が回転することにより苗載せタンク（５０）と共に左右方向に摺動するリードメタル（３９）を設けてある苗移植機において、前記リードメタル（３９）の左右両側で且つリードカム軸（３７）の外周部に潤滑剤を注入する伸縮自在な被覆部材（４２，４２）を配置して設け、左右の被覆部材（４２，４２）を中空の循環パイプ（４３）で連通構成したことを特徴とする。
【０００８】
リードカム軸（３７）が回転すると、リード爪（４０）がリードカム軸の螺旋溝（３８）に沿って移動し、これに伴ってリードメタル（３９）が横移動し苗載せタンク（５０）が左右に往復移動する。
【０００９】
そして、被覆部材の内部に潤滑剤を供給すると、リードメタル（３９）の左右方向への摺動により被覆部材（４２，４２）が伸縮して潤滑剤が移動し、リードカム軸（３７）に万遍なく供給されることになる。
【００１０】
また、潤滑剤は、循環パイプ（４３）を通じて左右一側の被覆部材（４２）から他側の被覆部材（４２）に移動することになり、潤滑剤が過剰に供給されることがなくなる。
請求項２記載の本発明は、請求項１において、前記左右の被覆部材（４２，４２）に潤滑剤を供給する潤滑剤供給装置（４４）を設け、潤滑剤供給装置から被覆部材（４２）の内部に潤滑剤を供給する流路（４５）を設けたことを特徴とする請求項１記載の苗移植機とした。
【００１１】
また、供給装置（４４）に潤滑油を供給すると、供給流路（４５）を通じて被覆部材（４２）の内部に潤滑剤が注入されることになる。
【００１２】
請求項３記載の本発明は、請求項１又は請求項２において、前記循環パイプ（４３）を左右の被覆部材（４２，４２）の内側で且つ前記リードメタル（３９）の上方を通過させて配置したことを特徴とする請求項１又は請求項２記載の苗移植機とした。
【００１３】
そして、リードカム軸（３７）の回転により、リードメタル（３９）が植付部の左右端部まで移動すると、被覆部材（４２）の左右どちらか一方が収縮したときに潤滑剤がリードメタル（３９）の上方を通過して反対側の被覆部材（４２）に移動する。従って、被覆部材内部の圧力が高くなり過ぎることがなく略一定に維持されることになる。
【００１４】
請求項４記載の本発明は、請求項１又は請求項２において、前記循環パイプ（４３）を左右の被覆部材（４２，４２）の内側で且つ前記リードメタル（３９）の下方を通過させて配置したことを特徴とする請求項１又は請求項２記載の苗移植機とした。
【００１５】
リードカム軸（３７）の回転により、リードメタル（３９）が植付部の左右端部まで移動すると、被覆部材（４２）の左右どちらか一方が収縮したときに潤滑剤がリードメタルの下方を通過して反対側の被覆部材（４２）に移動するので、被覆部材内部の圧力が略一定に維持されることになる。また、循環パイプ（４３）がリードメタル（３９）の上方及び左右両側を覆わないので、リードメタルの掃除や部品交換等が容易に行える。
【００１６】
請求項５記載の本発明は、請求項１において、左右の被覆部材（４２，４２）の端部で且つ内周に複数の突起体（４６）を設けたことを特徴とする請求項１記載の苗移植機とした。
【００１７】
リードメタル（３９）に左右の被覆部材（４２，４２）を取り付けると接続部に空間が生じるため、潤滑剤がリードカム軸（３７）や循環パイプ（４３）に移動し易くなり、リードカム軸（３７）に満遍なく潤滑剤を供給することができ、苗載せタンク（５０）の移動が円滑に行われる。
【発明の効果】
【００１８】
請求項１に記載の本発明によれば、左右の被覆部材（４２，４２）の内部に潤滑剤を供給することにより、リードメタル（３９）の左右方向への摺動により被覆部材（４２，４２）が伸縮して潤滑剤が移動するため、リードカム軸（３７）に万遍なく潤滑剤を供給することができ、苗載せタンク（５０）の移動が円滑に行われ、作業能率が向上する。
【００１９】
また、左右の被覆部材（４２，４２）は中空の循環パイプ（４３）で連通されるので、左右の被覆部材（４２，４２）の一側に過剰な量の潤滑剤が供給されていても、潤滑剤は循環パイプ（４３）を通じて左右一側の被覆部材（４２）から他側の被覆部材（４２）に移動するので、過剰に供給された潤滑剤が被覆部材（４２，４２）から漏出し、周辺の構成部材に付着したり、圃場に落下して汚染したりすることを防止することができる。
【００２０】
請求項２記載の本発明によれば、リードメタル（３９）と潤滑剤供給装置（４４）を供給流路（４５）で連絡したことにより、作業者は潤滑剤供給装置（４４）に潤滑剤を供給するだけで被覆部材（４２，４２）の内部に潤滑剤を注入でき、従来のように苗載せタンク（５０）に設けられた複数の注油口からリードカム軸（３７）に潤滑剤を注入する作業が省略され、作業者の労力が軽減されると共にメンテナンス性が向上する。
【００２１】
請求項３記載の本発明によれば、リードカム軸（３７）の回転により、リードメタル（３９）が植付部の左右端部まで移動すると、被覆部材（４２）の左右どちらか一方が収縮したときに潤滑剤がリードメタル（３９）の上方を通過して反対側の被覆部材（４２）に移動するので、被覆部材（４２，４２）内部の圧力が高くなり過ぎることを防止することができる。
【００２２】
請求項４記載の本発明によれば、リードカム軸（３７）の回転により、リードメタル（３９）が植付部の左右端部まで移動すると、被覆部材（４２）の左右どちらか一方が収縮したときに潤滑剤がリードメタル（３９）の下方を通過して反対側の被覆部材（４２）に移動するので、被覆部材（４２，４２）内部の圧力が高くなり過ぎることを防止することができるものでありながら、循環パイプ（４３）がリードメタル（３９）の上方及び左右両側を覆わないので、リードメタル（３９）の掃除や部品交換等を容易に行うことができ、メンテナンス性が向上する。
【００２３】
請求項５記載の本発明によれば、左右の被覆部材（４２，４２）の端部で且つ内周に複数の突起体（４６）を設けてあるので、このリードメタル（３９）に左右の被覆部材（４２，４２）を取り付けると複数の突起体（４６）により接続部に空間が生じるため、潤滑剤がリードカム軸（３７）や循環パイプ（４３）に移動し易くなり、リードカム軸（３７）に満遍なく潤滑剤を供給することができ、苗載せタンク（５０）の移動が円滑に行われる。
【００２４】
また、循環パイプ（４３）に潤滑剤が移動し易いため、潤滑剤の移動により、被覆部材（４２，４２）の内部の圧力が高くなり過ぎることを防止でき、被覆部材（４２，４２）からの漏出が防止される。
【００２５】
しかも、複数の突起体（４６）がリードメタル（３９）に接触するため、左右の被覆部材（４２，４２）がリードメタル（３９）から外れにくくなる特徴がある。
【図面の簡単な説明】
【００２６】
【図１】田植機の側面図
【図２】田植機の平面図
【図３】苗植付部の要部の側面図
【図４】苗載せタンクの左右往復移動機構を示す要部の正面図
【図５】同上要部の別例正面図
【図６】潤滑剤供給装置を備えた左右往復移動機構要部の正面図
【図７】同上要部の別例正面図
【図８】苗載せタンクの要部の側面図
【図９】スクレーパの平面図
【発明を実施するための形態】
【００２７】
この発明の実施例を図面に基づき説明する。
【００２８】
図１及び図２は、苗移植機の一例として多条植えの苗植付部を装備した乗用型田植機１を示すものであり、この走行車体２の略中央に駆動源であるエンジンＥを搭載し、このエンジンＥの回転動力をミッションケ−ス１２内の変速装置に伝え、この変速装置で減速された回転動力を前輪１０及び後輪１１とに伝えるようにしている。
【００２９】
エンジンEは、メインフレーム１５上に搭載されており、該エンジンの回転動力がエンジン出力軸２０からベルト伝動装置２１等を介してミッションケース１２のミッション入力軸に伝達されるようになっている。走行動力は一部が前輪ファイナルケース１３に伝達されて前輪１０を駆動し、残りが後輪ギヤケース１７に伝達されて後輪１１を駆動する。また、外部取出動力は、走行車体２の後部に設けた植付クラッチケース２５に伝達され，これより植付伝動軸２６によって苗植付部４へ伝動される。
【００３０】
エンジンEの上部はエンジンカバー３０で覆われており、その上方に運転席３１が設置され、運転席３１の前方には、フロントカバー３２や操作ボックス３３、前輪１０，１０を操舵するステアリングハンドル３４が装備されている。また、運転席３１の後方側には施肥装置５が設置されている。３５は予備苗載せ台である。
【００３１】
更に、走行車体２の後部には苗植付部４が昇降リンク機構３を介して装着され、この苗植付部４と車体２との間には苗植付部４を上下に昇降する油圧昇降シリンダ２４が装備されている。
【００３２】
苗植付部４は、本例では６枚の土付きマット状苗で６条植が可能な構成としている。つまり、フェンス部４７によってマット状苗毎に仕切られた苗載せ面に６枚のマット状苗が載置される苗載せタンク５０、苗載せタンク上の苗を一株分づつ各条の苗取出口５１ａ，…に供給する苗送りベルト５２、苗取出口に供給された苗を圃場に植え付ける植付条数（６条）分の苗植付爪５３…を有する植付装置５４、圃場面上を滑走して整地するセンタフロート５５ｃ、サイドフロート５５ｓ等からなり、前記油圧昇降シリンダ２４の伸縮によって昇降させ、非作業位置に上昇したり、対地作業位置（対地植付位置）に下降したりすることができる。
【００３３】
苗載せタンク５０は、前側が上位となるよう傾斜して設けられ、支持フレーム５６及び支持レール５７上に支持されていて、後記する左右往復移動機構により苗植付装置５４の苗植付作動に連動して左右横方向に往復動するよう連動構成されている。苗載せタンクの下端側には、前記支持レール５７と一体成形された苗受枠５１が設けられ、６条分の苗取出口５１ａが開口されている。
【００３４】
なお、前記各フェンス部４７，４７…の下端部には、苗受け枠５１との間においてフェンス部に所定以上の過負荷が加わると破損が可能な櫛歯状のスクレーパ４８（図８、図９参照）を設けておくと、該フェンス部に過負荷が加わった時、スクレーパ先端の櫛歯部分４８ａが破損することによって損傷、変形を最小限に喰い止めることができる。スクレーパの取付はボルト４９によって締付固定され、破損したスクレーパは簡単に取り替えることができる。
【００３５】
前記植付伝動軸２６により走行車体側から伝達される植付動力は、植付伝動ケース２７内の植付駆動軸２８に入力され、この植付駆動軸２８からチエンケース２９内の伝動チエンを介して苗植付装置５４を駆動するように連動構成されている。
【００３６】
植付駆動軸２８から伝動ケース３６内のギヤ伝動機構を介して左右横方向に架設されたリードカム軸３６に伝達されるようになっている。リードカム軸３７は、外周面に螺旋状の溝部３８が形成されており、この溝部３８にリードメタル３９のリード爪４０が係合している。リードメタル３８が取り付けられている横移動棒４１は、軸方向に摺動自在に軸支されており、その左右端部が苗載せタンク５０に連結されている。リードカム軸３７が回転すると、リード爪４０がリードカム軸３７の螺旋溝３８に沿って移動し、これに伴ってリードメタル３９及び横移動棒４１が横移動し苗載せタンク５０が左右に往復移動する。
【００３７】
前記リードメタル３９の左右両側で且つリードカム軸３７の外周部に潤滑剤を注入する伸縮自在な蛇腹状の被覆部材４２，４２が左右に配置して設けられている。左右の被覆部材４２，４２は、中空の循環パイプ４３にて連通連結された構成になっている。
【００３８】
そして、リードカム軸３７が回転すると、リード爪４０がリードカム軸３７の螺旋溝に沿って移動し、これに伴ってリードメタル３９が横移動し苗載せタンク５０が左右に往復移動する。
【００３９】
また、潤滑剤供給装置（注油ポンプ）４４（図６、図７）により流路（オイルホース）４５を通じて潤滑剤を被覆部材４２の内部に供給すると、リードメタル３９の左右方向への摺動により被覆部材４２が伸縮して潤滑剤が移動し、リードカム軸３７の外周面に供給されるようになる。また、潤滑剤は、循環パイプ４３を通じて左右一側の被覆部材４２から他側の被覆部材４２へと循環移動するようになっている。
【００４０】
前記循環パイプ４３は、図４に示すように、リードメタル３９の上方を通過させる状態と、図５に示すように、リードメタル３９の下方を通過させる状態とに配置構成することができる。リードメタル３９の下方を通過させる配置構成による場合には、循環パイプ４３がリードメタル３９の上方及び左右両側を覆わないため、リードメタル３９の掃除や部品交換等のメンテナンスが容易に行える。
【００４１】
また、左右の被覆部材４２，４２のリードメタル３９側端部には、その内周部において複数の突起体４６（図７）が設けられ、この複数の突起体４６を介して被覆部材４２がリードメタル３９に取り付けられるようになっている。突起体により接続部に空間が生じるため、潤滑剤がリードカム軸３７や循環パイプ４３に移動し易くなり、リードカム軸３７に満遍なく潤滑剤を供給することができる。
【００４２】
図７に示す実施例では、被覆部材４２の突起体４６とクランプ５８との中間に循環パイプ４３を連通させた構成としている。また、この循環パイプ４３には、供給装置４４からの潤滑剤を流路４５ａを通じて供給できるように連通させた構成としている。更に、循環パイプ４３の途中部から分岐パイプ４３ａを介してリードメタル３９の上部に連通することもでき、これにより、リード爪４０の上から潤滑剤をかけることができ、リード爪４０の焼きつきを未然に防止することができる。なお、循環パイプ４３は、左右の被覆部材４２，４２同士を連通する構成と、リードメタル３９にオイルを戻すように連通する構成とに２本設けることもできる。
【００４３】
また、図例（図６）のように、循環パイプ４３をリードメタル３９の上方を通過させるものでは、循環パイプ４３をゴムやシリコン等の柔軟性のある材質にしておくと、これを横方向に倒してフック５９などに係止しておくことができ、リードメタル３９上部の蓋３９ａが開け易くなり、メンテナンスが容易に行える。
【００４４】
さらに、リードカム軸３７への給油用リザーブタンクの代わりとして中央の支持フレームと循環パイプ４３を繋いでおくと、リザーブタンクが不要となり、苗載せタンク周辺の部品点数が削減される。
【符号の説明】
【００４５】
３６    伝動ケース
３７    リードカム軸
３８    螺旋溝部
３９    リードメタル
４０    リード爪
４２    被覆部材
４３    循環パイプ
４４    潤滑剤供給装置
４５    流路
４６    突起体
５０    苗載せタンク
５４    苗植付装置
【図１】
2011177052.tif 000003
【図２】
2011177052.tif 000004
【図３】
2011177052.tif 000005
【図４】
2011177052.tif 000006
【図５】
2011177052.tif 000007
【図６】
2011177052.tif 000008
【図７】
2011177052.tif 000009
【図８】
2011177052.tif 000010
【図９】
2011177052.tif 000011